(57)【要約】【課題】外観上の見栄えが良く、設置する現場の長さ寸法に自由自在に対応できる仮設フェンス構造を提供する。【解決手段】縦横に組み立てられた複数本の金属パイプ２から成る足場構造体５を取り囲むように設置される仮設フェンス構造であって、縦長矩形状のメッシュ体３の各辺に縁材４が取着された基本フェンス単体１と、縦長矩形状のメッシュ体１３の一側辺に縁材１４が取着された幅調整用フェンス部材１０とを、備え、使用状態で、足場構造体５の横方向の金属パイプ２に沿って、複数枚の基本フェンス単体１が縦長鉛直状姿勢で取着され、かつ、幅調整用フェンス部材１０が、メッシュ体１３の一部を基本フェンス単体１に重ね合わせ状として、基本フェンス単体１の幅寸法Ｗ０より狭い余剰間隙６を閉鎖するように構成されている。【選択図】図１
2017115525.tif 000002
【特許請求の範囲】
【請求項１】
縦横に組み立てられた複数本の金属パイプ（２）から成る足場構造体（５）を取り囲むように設置される仮設フェンス構造であって、
縦長矩形状のメッシュ体（３）の各辺に縁材（４）が取着された基本フェンス単体（１）と、縦長矩形状のメッシュ体（１３）の一側辺に縁材（１４）が取着された幅調整用フェンス部材（１０）とを、備え、
使用状態で、上記足場構造体（５）の横方向の上記金属パイプ（２）に沿って、複数枚の上記基本フェンス単体（１）が縦長鉛直状姿勢で取着され、かつ、上記幅調整用フェンス部材（１０）が、上記メッシュ体（１３）の一部を上記基本フェンス単体（１）に重ね合わせ状として、該基本フェンス単体（１）の幅寸法（Ｗ０）より狭い余剰間隙（６）を閉鎖するように構成されたことを特徴とする仮設フェンス構造。
【請求項２】
２枚の縦長矩形状メッシュ体（２３）（２３）と、２枚の該メッシュ体（２３）（２３）を揺動自在に連結するヒンジ部材（２２）とを、有するコーナー用フェンス部材（２０）を備え、
上記コーナー用フェンス部材（２０）が、上記足場構造体（５）のコーナー部に配設されている請求項１記載の仮設フェンス構造。
【発明の詳細な説明】
【技術分野】
【０００１】
本発明は、仮設フェンス構造に関する。
【背景技術】
【０００２】
従来、戸建て住宅やマンション等の建築現場あるいは改修工事現場に於て、不法侵入を防止する防犯上の観点から、足場を囲むように仮設フェンスが設置されていた（特許文献１参照）。
【先行技術文献】
【特許文献】
【０００３】
【特許文献１】特開２００２−１６７９７４号公報
【発明の概要】
【発明が解決しようとする課題】
【０００４】
図１１に示すように、特許文献１記載の仮設フェンス１００は、複数本の金属パイプ１０４によって足場１０５が組まれ、足場１０５の横方向の金属パイプ１０４に装着された複数個のパネル留めクランプ１０１に、仮囲いパネル１０２が掛着される構造である。
しかし、仮囲いパネル１０２は、鋼板を使用していたため重量が大きく、施工上、作業能率が悪かった。また、仮囲いパネル１０２自体のコストが高いという欠点があった。
【０００５】
また、図１２と図１３に示すように、仮設フェンス１００を設置する現場の長さ寸法に、仮囲いパネル１０２がぴったり隙間無く対応することは稀で、仮囲いパネル１０２の幅寸法Ｗよりも小さな幅寸法Ｗ´の中途半端な余剰間隙１０３ができてしまうことが多かった。この余剰間隙１０３を塞ぐために、余剰間隙１０３より広い幅寸法Ｗを有する仮囲いパネル１０２を取付けると、見栄えが悪いという問題があった。
【０００６】
また、鋼板を用いた仮囲いパネル１０２は、見通しが悪く、好ましくなかった。曲がり角の見通しが悪くなることで、出会い頭事故の原因となる問題があった。しかも、落書きされ易く、悪戯により見栄えが悪くなる虞れがあった。
【０００７】
そこで、本発明は、外観上の見栄えが良く、設置する現場の長さ寸法に自由自在に対応できる仮設フェンス構造を提供することを目的とする。
【課題を解決するための手段】
【０００８】
本発明に係る仮設フェンス構造は、縦横に組み立てられた複数本の金属パイプから成る足場構造体を取り囲むように設置される仮設フェンス構造であって、縦長矩形状のメッシュ体の各辺に縁材が取着された基本フェンス単体と、縦長矩形状のメッシュ体の一側辺に縁材が取着された幅調整用フェンス部材とを、備え、使用状態で、上記足場構造体の横方向の上記金属パイプに沿って、複数枚の上記基本フェンス単体が縦長鉛直状姿勢で取着され、かつ、上記幅調整用フェンス部材が、上記メッシュ体の一部を上記基本フェンス単体に重ね合わせ状として、該基本フェンス単体の幅寸法より狭い余剰間隙を閉鎖するように構成されたものである。
【０００９】
また、２枚の縦長矩形状メッシュ体と、２枚の該メッシュ体を揺動自在に連結するヒンジ部材とを、有するコーナー用フェンス部材を備え、上記コーナー用フェンス部材が、上記足場構造体のコーナー部に配設されているものである。
【発明の効果】
【００１０】
本発明の仮設フェンス構造によれば、設置する現場の長さ寸法に自由自在に対応でき、しかも、外観上の見栄えが良い。容易に設置でき、かつ、安価に製造でき、コストを低減できる。見通しが良く、防犯上、好ましい。工事期間中も、住人に過度な圧迫感を感じさせることなく、快適に平常の生活ができる。落書きの対象となることが少なく、外面を見栄え良く保つことができる。
【図面の簡単な説明】
【００１１】
【図１】本発明の実施の一形態を示した正面図である。
【図２】基本フェンス単体を示す拡大正面図である。
【図３】図２のＡ−Ａ拡大断面図である。
【図４】幅調整用フェンス部材を示す拡大正面図である。
【図５】図４のＢ−Ｂ拡大断面図である。
【図６】コーナー用フェンス部材を示す斜視図である。
【図７】コーナー用フェンス部材の拡大断面平面図である。
【図８】本発明の仮設フェンス構造の使用状態を示した平面図であり、（Ａ）は全体の平面図であり、（Ｂ）は他の使用状態を示した拡大断面平面図である。
【図９】基本フェンス単体を金属パイプに取着する前の状態を示す斜視図である。
【図１０】基本フェンス単体を金属パイプに取着した状態を示す斜視図である。
【図１１】従来の仮設フェンスを示した斜視図である。
【図１２】従来の仮設フェンスを示した背面図である。
【図１３】従来の仮設フェンスを示した平面図である。
【発明を実施するための形態】
【００１２】
以下、実施の形態を示す図面に基づき本発明を詳説する。
図１と図８（Ａ）に示すように、本発明の仮設フェンス構造は、縦横に組み立てられた複数本の金属パイプ２から成る足場構造体５を取り囲むように設置されるものである。
本発明の仮設フェンス構造は、縦長矩形状のメッシュ体３の各辺に縁材４が取着された基本フェンス単体１と、縦長矩形状のメッシュ体１３の一側辺に縁材１４が取着された幅調整用フェンス部材１０とを、備えている。
【００１３】
図２と図３に示すように、基本フェンス単体１は、縦長矩形状のメッシュ体３を有し、その各辺に縁材４が取着されている。
メッシュ体３は、エキスパンドメタルから成り、その材質は、鉄、ステンレス鋼、アルミニウム等が好ましい。エキスパンドメタルとは、金属板を、エキスパンド製造機によって、千鳥状に切れ目を入れながら押し広げ、その切れ目を菱形乃至亀甲形に成形したメッシュ状の金属板である。メッシュ体３は、パンチングメタルや、鉄線を編んだ網状体を用いても良い。
メッシュ体３は、上辺・下辺に、上部横縁材４３・下部横縁材４４が取着され、かつ、上下中間位置に、中間部横縁材４０が取着されている。メッシュ体３の両側辺に取着される第１縦縁材４１と第２縦縁材４２は、その形状が相違している。第１縦縁材４１は、断面コの字状の嵌合凸部４５を側方突出状に有し、第２縦縁材４２は、嵌合凸部４５が嵌込自在の嵌合凹部４６が形成されている。第１縦縁材４１・第２縦縁材４２は、先端縁に直角折曲状の折曲部４７，４７が形成されている。メッシュ体３に対し、上部横縁材４３・下部横縁材４４・中間部横縁材４０・第１縦縁材４１・第２縦縁材４２が、複数のリベットＲによって係止され、外れないように固着（鋲着）されている。基本フェンス単体１は、幅寸法Ｗ０が４００ｍｍ〜６００ｍｍに設定され、より好ましくは、幅寸法Ｗ０が４８０ｍｍ〜５２０ｍｍに設定される。高さ寸法は、２ｍ〜３ｍである。
【００１４】
図４と図５に示すように、幅調整用フェンス部材１０は、（上述のメッシュ体３と同様の）縦長矩形状のメッシュ体１３を備え、その一側辺に縁材１４が取着されている。
図例では、縁材１４は、基本フェンス単体１の第２縦縁材４２と同一形状に形成され、第１縦縁材４１の嵌合凸部４５に嵌込可能として対応する嵌合凹部４６が形成され、先端縁に折曲部４７が形成されている。即ち、幅調整用フェンス部材１０は、基本フェンス単体１の上部横縁材４３・下部横縁材４４・中間部横縁材４０・第１縦縁材４１を省略して形成され、共通部品のみで構成されているため、安価に製造できる。なお、幅調整用フェンス部材１０の他側辺に、第１縦縁材４１と同一形状の縁材を取着し、一側辺の縁材１４を省略しても良い（図示省略）。
【００１５】
図６と図７に示すように、２枚の縦長矩形状メッシュ体２３，２３と、２枚のメッシュ体２３，２３を揺動自在に連結するヒンジ部材２２とを、有するコーナー用フェンス部材２０を備えている。
コーナー用フェンス部材２０のメッシュ体２３は、エキスパンドメタルから成り、基本フェンス単体１のメッシュ体３の２／３倍〜１／３倍の幅寸法に形成されている。より好ましくは、約１／２倍の幅寸法に設定する。２枚のメッシュ体２３，２３が、ヒンジ部材２２によって揺動自在に連結一体化され、メッシュ体２３，２３の外方側辺には、基本フェンス単体１の第１縦縁材４１・第２縦縁材４２と同一形状の縁材４８，４９が取着されている。なお、ヒンジ部材２２は金属製の蝶番であり、メッシュ体２３，２３を任意の角度θに調整可能である。メッシュ体２３の一部には、曲がり角を通行する人に注意を促すため、目立ち易いように着色部５０が設けられている。
【００１６】
図１と図８（Ａ）に示すように、使用状態で、足場構造体５の横方向の金属パイプ２に沿って、複数枚の基本フェンス単体１が縦長鉛直状姿勢で取着され、基本フェンス単体１の幅寸法Ｗ０より狭い小幅寸法Ｗ１の余剰間隙６が形成されている。幅調整用フェンス部材１０が、メッシュ体１３の一部を、基本フェンス単体１に重ね合わせ状として、（基本フェンス単体１の幅寸法Ｗ０より狭い）余剰間隙６を閉鎖するように構成されている。コーナー用フェンス部材２０は、足場構造体５のコーナー部に配設されている。
図８（Ａ）では、幅調整用フェンス部材１０のメッシュ体１３が、基本フェンス単体１の裏面側に重ねられ、メッシュ体１３が折り曲がって図示されているが、実際は、基本フェンス単体１の縁材４（第２縦縁材４２）の寸法比率が小さいため、幅調整用フェンス部材１０のメッシュ体１３と、基本フェンス単体１のメッシュ体３とが、ほぼ平行に重ね合わされて、外観上、違和感なく設置される。
なお、図８（Ｂ）に示すように、幅調整用フェンス部材１０のメッシュ体１３が、基本フェンス単体１の表て面側に重ねられても良い。
【００１７】
図９と図１０に示すように、基本フェンス単体１を金属パイプ２に係止（固定）するための取付部材３０を備えている。
取付部材３０は、Ｕ字状の取り付け用金具から成り、弯曲部に設けた貫通孔に、締め付け用のボルト３１が挿通状に螺着されている。取付部材３０は、Ｕ字の先端部の各々に、係止爪部３２を有している。
隣接する基本フェンス単体１，１の第１縦縁材４１と第２縦縁材４２（嵌合凸部４５と嵌合凹部４６）を互いに嵌め合せて、隙間ができないように基本フェンス単体１，１同士を接合させ、取付部材３０の弯曲部を金属パイプ２に掛着すると共に、第１縦縁材４１・第２縦縁材４２の折曲部４７，４７に係止爪部３２，３２を引っ掛けて係合させる。この状態で、取付部材３０のボルト３１を、（金属パイプ２を押圧する方向に）螺進させれば、係止爪部３２と折曲部４７の係合によって、取付部材３０が金属パイプ２を抱き込んだ状態で基本フェンス単体１に取着される。取付部材３０は、基本フェンス単体１の第１縦縁材４１・第２縦縁材４２の上下方向の何れの位置にでも取着可能である。
図８（Ａ）に示すように、基本フェンス単体１は、取付部材３０によって、金属パイプ２に取着されている。また、コーナー用フェンス部材２０も同様に、取付部材３０によって、金属パイプ２に取着されている。幅調整用フェンス部材１０は、メッシュ体１３の一側辺に取着された縁材１４が、取付部材３０によって、金属パイプ２に取着され、メッシュ体１３の他側辺は、金属パイプ２に直接に固定しても良い。あるいは、図８（Ｂ）に示すように、基本フェンス単体１のメッシュ体３と、幅調整用フェンス部材１０のメッシュ体１３とが、なまし鉄線（番線）又は結束バンド等の締結手段３５によって、連結されるも好ましい。
【００１８】
上述した本発明の仮設フェンス構造の使用方法（作用）について説明する。
図８（Ａ）に示すように、足場構造体５の横方向の金属パイプ２に沿って、複数枚の基本フェンス単体１とコーナー用フェンス部材２０と幅調整用フェンス部材１０が取着され、足場構造体５を取り囲むように設置される。
幅調整用フェンス部材１０は、基本フェンス単体１の幅寸法Ｗ０より狭い小幅寸法Ｗ１の余剰間隙６を塞ぎ、外観上、違和感なく、基本フェンス単体１とコーナー用フェンス部材２０を継ぎ合せる。勿論、幅調整用フェンス部材１０が、基本フェンス単体１と基本フェンス単体１の間隙を継ぎ合せるように配設されても良い。
幅調整用フェンス部材１０は、（基本フェンス単体１に対する）メッシュ体１３の重なり巾を調節することで、余剰間隙６の小幅寸法Ｗ１が大小変化しても自由自在に対応可能である。
【００１９】
基本フェンス単体１は、メッシュ体３を有しているため、重量が小さく、施工上、取り扱いが容易である。また、外部からの見通しが良く、足場構造体５に囲まれた住宅の住人に、過度の圧迫感を与えず、工事期間中のストレスを軽減できる。その上、足場構造体５の内部への不法侵入を防止できる防犯上の利点がある。メッシュ体３には、落書きし難いので、悪戯によって見栄えが悪くなることも少ない。
幅調整用フェンス部材１０及びコーナー用フェンス部材２０も、重量が小さい点、見通しが良い点で共通している。特に、コーナー用フェンス部材２０は、足場構造体５のコーナー部の見通しを向上させて、曲がり角での出会い頭事故を防止でき、工事現場の安全性を向上する。
【００２０】
基本フェンス単体１は、第１縦縁材４１の嵌合凸部４５と、他の基本フェンス単体１の第２縦縁材４２に設けた嵌合凹部４６とを、互いに嵌め合せて、隙間が形成されることなく設置される。嵌合凸部４５と嵌合凹部４６の嵌め合いにより、隣接する基本フェンス単体１，１の厚み方向への位置ずれを防ぐことができる。即ち、複数枚の基本フェンス単体１は、外面が同一面状のフラットな状態に保たれて、外観上の見栄えが良く、そのフラットな状態を、長期にわたって維持することができる。これは、基本フェンス単体１とコーナー用フェンス部材２０の関係性、及び、幅調整用フェンス部材１０とコーナー用フェンス部材２０の関係性に於ても同様である。
【００２１】
基本フェンス単体１は、取付部材３０によって、金属パイプ２に迅速かつ容易に取着され、作業能率が向上する。
取付部材３０は、基本フェンス単体１の上下方向取着位置の調整を容易とし、図１のように、基本フェンス単体１は、足場構造体５の設置面（地面）との間に、ほとんど隙間を開けることなく、設置することができる。また、複数枚の基本フェンス単体１とコーナー用フェンス部材２０と幅調整用フェンス部材１０の上下方向取着位置を揃えることも簡単である。
【００２２】
なお、本発明は、設計変更可能であって、例えば、基本フェンス単体１は、上下中間位置に２本以上の中間部横縁材４０が取着されていても良い。また、メッシュ体３の目の大きさは、自由に変更できる。コーナー用フェンス部材２０の着色部５０は省略しても良い。
【００２３】
以上のように、本発明に係る仮設フェンス構造は、縦横に組み立てられた複数本の金属パイプ２から成る足場構造体５を取り囲むように設置される仮設フェンス構造であって、縦長矩形状のメッシュ体３の各辺に縁材４が取着された基本フェンス単体１と、縦長矩形状のメッシュ体１３の一側辺に縁材１４が取着された幅調整用フェンス部材１０とを、備え、使用状態で、上記足場構造体５の横方向の上記金属パイプ２に沿って、複数枚の上記基本フェンス単体１が縦長鉛直状姿勢で取着され、かつ、上記幅調整用フェンス部材１０が、上記メッシュ体１３の一部を上記基本フェンス単体１に重ね合わせ状として、該基本フェンス単体１の幅寸法Ｗ０より狭い余剰間隙６を閉鎖するように構成されたので、設置する現場の長さ寸法に自由自在に対応でき、しかも、外観上の見栄えが良い。容易に設置でき、かつ、安価に製造でき、コストを低減できる。見通しが良く、防犯上、好ましい。工事期間中も、住人に過度な圧迫感を感じさせることなく、快適に平常の生活ができる。落書きの対象となることが少なく、外面を見栄え良く保つことができる。
【００２４】
また、２枚の縦長矩形状メッシュ体２３，２３と、２枚の該メッシュ体２３，２３を揺動自在に連結するヒンジ部材２２とを、有するコーナー用フェンス部材２０を備え、上記コーナー用フェンス部材２０が、上記足場構造体５のコーナー部に配設されているので、外観上の見栄えが良く、かつ、メッシュ体２３，２３を任意の角度θに調整可能であって、足場構造体５のコーナー部の角度（形状）にぴったりと対応できる。容易に設置でき、かつ、安価に製造でき、コストを低減できる。足場構造体５のコーナー部の見通しを向上させて、曲がり角での出会い頭事故を防止でき、工事現場の安全性を向上できる。
【符号の説明】
【００２５】
１  基本フェンス単体
２  金属パイプ
３  メッシュ体
４  縁材
５  足場構造体
６  余剰間隙
１０  幅調整用フェンス部材
１３  メッシュ体
１４  縁材
２０  コーナー用フェンス部材
２２  ヒンジ部材
２３  メッシュ体
Ｗ０  幅寸法
【図１】
2017115525.tif 000003
【図２】
2017115525.tif 000004
【図３】
2017115525.tif 000005
【図４】
2017115525.tif 000006
【図５】
2017115525.tif 000007
【図６】
2017115525.tif 000008
【図７】
2017115525.tif 000009
【図８】
2017115525.tif 000010
【図９】
2017115525.tif 000011
【図１０】
2017115525.tif 000012
【図１１】
2017115525.tif 000013
【図１２】
2017115525.tif 000014
【図１３】
2017115525.tif 000015